(57)【要約】【課題】リニューアル工事の際に起こりうる不具合を工事担当者が速やかに気づき不具合箇所を特定するフォルトファインダーシステムを提供する。【解決手段】フォルトファインダーシステムは、群管理されている複数台のエレベータをリニューアル工事するときに工事によって引き起こされる不具合を検出するフォルトファインダーシステムにおいて、上記複数台のエレベータのうち稼働中のエレベータの稼動に係わる電源または信号の状態を監視する監視制御盤（４）と、上記電源または信号に不具合が発生したとき不具合が発生した電源または信号を表示するとともに警報を発する表示盤（５）と、を備えるフォルトファインダー盤（１）を具備する。【選択図】図１
2008239270.tif 000002
【特許請求の範囲】
【請求項１】
群管理されている複数台のエレベータをリニューアル工事するときに工事によって引き起こされる不具合を検出するフォルトファインダーシステムにおいて、
上記複数台のエレベータのうち稼働中のエレベータの稼動に係わる電源または信号の状態を監視する監視制御盤と、
上記電源または信号に不具合が発生したとき不具合が発生した電源または信号を表示するとともに警報を発する表示盤と、
を備えるフォルトファインダー盤を具備することを特徴とするフォルトファインダーシステム。
【請求項２】
上記フォルトファインダー盤は、上記電源または信号に不具合が発生したとき不具合が発生した電源または信号に関する情報を緊急連絡先にメールする通信制御盤を備えることを特徴とする請求項１に記載のフォルトファインダーシステム。
【発明の詳細な説明】
【技術分野】
【０００１】
この発明は、エレベータのリニューアル工事の際に起こる不具合を検出するフォルトファインダーシステムに関するものである。
【背景技術】
【０００２】
従来、エレベータの各機器の動作を監視し、復旧のための作業予定などを決定する保守作業等支援装置が提案されている。その保守作業等支援装置は、エレベータ監視端末装置がそれらの異常を検出して監視センタのセンタ監視装置に電話回線を介して故障検出情報を送信すると、センタ監視装置は受信した故障検出情報と記憶部から読み出した各種データに基づいて故障発生情報を生成し、この故障発生情報が電話回線を介して管轄の営業所の端末情報処理装置に送信されると、端末情報処理装置は受信した故障発生情報を基に故障の緊急度、難易度を判定し、作業員の作業予定の情報と作業員の能力評価を参照して当該エレベータの故障の復旧のために出向するのに最適な作業員を決定する（例えば、特許文献１参照）。
【０００３】
【特許文献１】特開平８−３２９３７５号公報
【発明の開示】
【発明が解決しようとする課題】
【０００４】
しかし、群管理される多数台のエレベータをリニューアル工事するときにはエレベータが通常に稼動しているときとは異なる不具合が起こりうる。すなわち、リニューアル工事では群管理している全てのエレベータが停止してしまわないように一部のエレベータ毎に施工するため、交換対象のエレベータの制御盤を取り外すときに交換対象外で稼働中のエレベータの制御盤につながる信号線や電源線などに影響を与え、稼働中のエレベータが停止してしまうという問題がある。
また、制御盤を床から取り外すために床ハツリ作業など振動が伴う作業を行ったときに、振動により地震感知器を誤動作させてしまい稼働中のエレベータが停止してしまうという問題がある。
特に、稼働中のエレベータが停止したことに気づくのが遅れるとお客に多大な迷惑をかけてしまうという問題がある。
【０００５】
この発明の目的は、リニューアル工事の際に起こりうる不具合を工事担当者が速やかに気づき不具合箇所を特定するフォルトファインダーシステムを提供することである。
【課題を解決するための手段】
【０００６】
この発明に係るフォルトファインダーシステムは、群管理されている複数台のエレベータをリニューアル工事するときに工事によって引き起こされる不具合を検出するフォルトファインダーシステムにおいて、上記複数台のエレベータのうち稼働中のエレベータの稼動に係わる電源または信号の状態を監視する監視制御盤と、上記電源または信号に不具合が発生したとき不具合が発生した電源または信号を表示するとともに警報を発する表示盤と、を備えるフォルトファインダー盤を具備する。
【発明の効果】
【０００７】
この発明に係るフォルトファインダーシステムの効果は、稼働中のエレベータの運転に係わる不具合が発生すると、不具合の箇所が表示されるとともに警報が発せられるので、フォルトファインダー盤の近くで作業している作業者は不具合が発生したことを知ることができる。そして、フォルトファインダー盤の表示盤に点灯しているボタンスイッチから不具合が発生した箇所を知ることができるので、復旧作業を直ちに始めることができる。
【発明を実施するための最良の形態】
【０００８】
図１は、この発明の実施の形態によるフォルトファインダーシステムの構成図である。図２は、この発明の実施の形態によるフォルトファインダー盤の外観図である。
この発明の実施の形態によるフォルトファインダーシステムは、図１に示すように、工事現場に携行されるフォルトファインダー盤１と、現場代理人、工事部門長および当日作業者が携帯する携帯電話機２と、情報センタに設置される監視装置３を備える。フォルトファインダー盤１から携帯電話機２にメールが送信される。
【０００９】
フォルトファインダー盤１は、図１と図２に示すように、監視制御盤４、表示盤５、通信制御盤６、パトライト７を備える。
監視制御盤４は、受電盤用リレー盤１１、共通リレー盤用リレー盤１２、管制運転リレー盤用リレー盤１３を備える。なお、監視対象の箇所が多いとき、適宜追加リレー盤を追加すれば良い。
【００１０】
受電盤用リレー盤１１は、４個のＤＣ仕様のパワーリレー１５および１０個のＡＣ仕様のパワーリレー１６、パワーリレー１５、１６の入力側にそれぞれ接続される先端にワニ口クリップ１７が付けられたペア線１８、パワーリレー１５、１６の出力側にそれぞれ接続されるリードケーブル１９、パワーリレー１５、１６に電源を供給する電源線２０を備える。
共通リレー盤用リレー盤１２は、８個のパワーリレー１６、パワーリレー１６の入力側にそれぞれ接続される先端にワニ口クリップ１７が付けられたペア線１８、パワーリレー１６の出力側にそれぞれ接続されるリードケーブル１９、パワーリレー１６に電源を供給する電源線２０を備える。
管制運転リレー盤用リレー盤１３は、５個のパワーリレー１６、パワーリレー１６の入力側にそれぞれ接続される先端にワニ口クリップ１７が付けられたペア線１８、パワーリレー１６の出力側にそれぞれ接続されるリードケーブル１９、パワーリレー１６に電源を供給する電源線２０を備える。
【００１１】
表示盤５は、フォルトファインダー盤１の電源をＯＮ／ＯＦＦする電源スイッチ２３、２７個の表示セット２４、ブザー２５、ランプリセットスイッチ２６、ブザーリセットスイッチ２７、ヒューズ２８、制御部２９を備える。電源スイッチ２３、表示セット２４、ブザー２５、ランプリセットスイッチ２６、ブザーリセットスイッチ２７、ヒューズ２８は、パネル３０に取り付けられ、取り付けられたパネル３０の下方に該当する名称が表示されている。
【００１２】
表示セット２４は、ボタンスイッチ３１とＬＥＤ表示灯３２とが対になっており、ボタンスイッチ３１とＬＥＤ表示灯３２とが直列に接続されている。ボタンスイッチ３１は、ボタンを押す度にＯＮ／ＯＦＦを繰り返し、ＯＮのときランプが点灯する。ＬＥＤ表示灯３２はボタンスイッチ３１がＯＮのとき、ボタンスイッチ３１に接続されているリードケーブル１９からＯＮ信号が送られてくると点灯する。
【００１３】
２７個の表示セット２４は、８個が管理内号機、４個がＤＣ１２５Ｖ制御電源、５個がＡＣ１００Ｖ制御電源、５個がＡＣ１００Ｖ客先支給電源、５個が管制運転のグループとして分けられている。
管理内号機にグループ化された８個のボタンスイッチ３１には、共通リレー盤用リレー盤１２からのリードケーブル１９が接続されている。ＤＣ１２５Ｖ制御電源にグループ化された４個のボタンスイッチ３１には、受電盤用リレー盤１１からのリードケーブル１９が接続されている。ＡＣ１００Ｖ制御電源にグループ化された５個のボタンスイッチ３１には、受電盤用リレー盤１１からのリードケーブル１９が接続されている。ＡＣ１００Ｖ客先支給電源にグループ化された５個のボタンスイッチ３１には、受電盤用リレー盤１１からのリードケーブル１９が接続されている。管制運転にグループ化された５個のボタンスイッチ３１には、管制運転リレー盤用リレー盤１３からのリードケーブル１９が接続されている。
【００１４】
制御部２９は、少なくともいずれか１つの表示セット２４のＬＥＤ表示灯３２が点灯したとき、パトライト７を点灯するとともにブザー２５を鳴動する。また、ブザーリセットスイッチ２７からリセット信号が入力されたときブザー２５の鳴動を停止し、ランプリセットスイッチ２６からリセット信号が入力されたときパトライト７を消灯する。
また、制御部２９は、点灯したＬＥＤ表示灯３２から不具合の内容を取り込み、現時刻を不具合の内容に添付して緊急メールとして通信制御盤６に送信する。
【００１５】
通信制御盤６は、作業開始前に現場名、緊急連絡先、当日作業者名簿を入力する入力インターフェース３５、表示盤５の制御部２９からの緊急メールを受信したとき、緊急連絡先に現場名、当日作業者名簿、時刻が添付された不具合内容をメール発信するメール手段３６を有する。
緊急連絡先としては、情報センタの監視装置３と、例えば現場代理人、工事部門長、当日作業者が携帯する携帯電話機２である。
【００１６】
次に、この発明の実施の形態によるフォルトファインダーシステムを用いてリニューアル工事を監視する手順を説明する。
リニューアル工事を担当する工事作業者は工事現場にフォルトファインダー盤１を携行する。そして、工事作業者のうちのオペレータは、作業開始前に通信制御盤６の入力インターフェース３５から現場名、緊急連絡先、当日作業者名簿を入力する。
また、オペレータは、エレベータ群管理盤４０に備わる受電盤４１および共通リレー盤４２、管制運転リレー盤４３の回路図に基づき受電盤用リレー盤１１、共通リレー盤用リレー盤１２および管制運転リレー盤用リレー盤１３の該当するペア線１８を、受電盤４１、共通リレー盤４２および管制運転リレー盤４３の該当する回路にワニ口クリップ１７で挟むことにより接続する。
【００１７】
図３は、この発明の実施の形態によるフォルトファインダーシステムで監視する受電盤の回路図である。
例えば、図３に示される回路図の受電盤４１の場合、受電盤４１のＤＣＲＡおよびＤＣＲＢの回路に受電盤用リレー盤１１のＤＣ仕様のパワーリレー１５に接続されるペア線１８、受電盤４１のＲＡＣ、ＲＡＴ、ＲＢＣ、ＳＩＧＭ、ＳＩＧＮおよびＥＭの回路に受電盤用リレー盤１１のＡＣ仕様のパワーリレー１６に接続されるペア線１８を接続する。
【００１８】
図４は、この発明の実施の形態によるフォルトファインダーシステムで監視する共通リレー盤の回路図である。
例えば、図４に示される回路図の共通リレー盤４２の場合、共通リレー盤４２の１号機用リレー、２号機用リレー、３号機用リレー、４号機用リレー、５号機用リレー、６号機用リレーに並列に共通リレー盤用リレー盤１２のパワーリレー１６に接続されるペア線１８を接続する。
【００１９】
図５は、この発明の実施の形態によるフォルトファインダーシステムで監視する管制運転リレー盤の回路図である。
例えば、図５に示される管制運転リレー盤４３の場合、管制運転リレー盤４３のＰ波感知器に直列に接続されているＰ波用リレー、総括回路のリレーに並列に管制運転リレー盤用リレー盤１３のパワーリレーに接続されるペア線１８を接続する。
また、管制運転リレー盤４３の図示しない火災報知機と機械室の図示しない温度計が接続される管制運転リレー盤４３の図示しない端子盤に管制運転リレー盤用リレー盤１３のパワーリレー１６に接続されるペア線１８を接続する。
【００２０】
また、表示盤５のボタンスイッチ３１の内、監視対象に接続したペア線１８に対応する表示セット２４のボタンスイッチ３１を押す。すると、ボタンスイッチ３１のランプが点灯し監視中であることが分かる。図２でボタンスイッチ３１のランプを灰色に塗りつぶしたランプが点灯していることを表す。
【００２１】
次に、上述のようにフォルトファインダー盤１を現場で設定しリニューアル工事を行ったとき、例えば、受電盤４１のＤＣＲＡのヒューズが切れたときのフォルトファインダー盤１の動作について説明する。
受電盤４１のＤＣＲＡのヒューズが切れると、該当する受電盤用リレー盤１１のＤＣ仕様のパワーリレー１５が作動してＯＮ信号を表示盤５のＤＣ１２５Ｖ制御電源にグループ化されたＤＣＲＡと表示された表示セット２４のボタンスイッチ３１に送られる。このＤＣＲＡの表示セット２４のボタンスイッチ３１はＯＮされているので、ＬＥＤ表示灯３２が点灯する。
ＬＥＤ表示灯３２が点灯すると、表示盤５の制御部２９がパトライト７を点灯しブザー２５を鳴動する。
受電盤４１のＤＣＲＡのヒューズが切れると、このようにしてパトライト７が点灯しブザー２５が鳴動するので、フォルトファインダー盤１の近くで作業している作業者は不具合が発生したことを知ることができる。そして、フォルトファインダー盤１の表示盤５に点灯しているボタンスイッチ３１から不具合が発生した箇所を知ることができるので、復旧作業を直ちに始めることができる。
【００２２】
ＬＥＤ表示灯３２が点灯すると、表示盤５の制御部２９は、点灯したＬＥＤ表示灯３２から不具合が起こった箇所、この場合受電盤４１のＤＣＲＡ回路であることを特定し、不具合が起こった箇所に関する情報に現時刻を添付して通信制御盤６に緊急メールとして送信する。
通信制御盤６は、作業の前に設定した緊急連絡先に時刻を添付した不具合が起こった箇所に関する情報をメールする。
【００２３】
受電盤４１のＤＣＲＡのヒューズが切れると、このようにして緊急連絡先に不具合が起こったこと、起こった箇所、起こった時刻がメールされるので、現場代理人や工事部門長が応急措置を関係部門に指示できる。
また、フォルトファインダー盤１の近くにいなくても不具合が発生したことが分かるので、不具合の状況で作業を継続して状況を悪化することを防げる。
【００２４】
また、情報センタの監視装置３に不具合状況がメールされるので、監視員は現場代理人に不具合の内容を細かに聞くことができ、全体としての対応を図ることができる。
【図面の簡単な説明】
【００２５】
【図１】この発明の実施の形態によるフォルトファインダーシステムの構成図である。
【図２】この発明の実施の形態によるフォルトファインダー盤の外観図である。
【図３】この発明の実施の形態によるフォルトファインダーシステムで監視する受電盤の回路図である。
【図４】この発明の実施の形態によるフォルトファインダーシステムで監視する共通リレー盤の回路図である。
【図５】この発明の実施の形態によるフォルトファインダーシステムで監視する管制運転リレー盤の回路図である。
【符号の説明】
【００２６】
１  フォルトファインダー盤、２  携帯電話機、３  監視装置、４  監視制御盤、５  表示盤、６  通信制御盤、７  パトライト、１１  受電盤用リレー盤、１２  共通リレー盤用リレー盤、１３  管制運転リレー盤用リレー盤、１５、１６  パワーリレー、１７  ワニ口クリップ、１８  ペア線、１９  リードケーブル、２０  電源線、２３  電源スイッチ、２４  表示セット、２５  ブザー、２６  ランプリセットスイッチ、２７  ブザーリセットスイッチ、２８  ヒューズ、２９  制御部、３０  パネル、３１  ボタンスイッチ、３２  ＬＥＤ表示灯、３５  入力インターフェース、３６  メール手段、４０  エレベータ群管理盤、４１  受電盤、４２  共通リレー盤、４３  管制運転リレー盤。
【図１】
2008239270.tif 000003
【図２】
2008239270.tif 000004
【図３】
2008239270.tif 000005
【図４】
2008239270.tif 000006
【図５】
2008239270.tif 000007